(57)【要約】      （修正有）【課題】配信コンテンツに挿入する広告映像データの取得と決定をより簡単に行える配信装置。【解決手段】広告映像データが挿入された番組コンテンツと、電子番組情報とを放送局から受信する第１の受信手段と、広告映像データが挿入された番組コンテンツから広告映像データを抽出し電子番組情報に基づき広告メタデータを作成する広告抽出手段と、広告映像データと広告メタデータとを関連づけて記憶する第１の記憶手段と、配信コンテンツを記憶する第２の記憶手段と、視聴者端末からのコンテンツ配信要求に従って第２の記憶手段から配信コンテンツを選択する選択手段と、視聴者端末から番組コンテンツの視聴履歴情報を受信する第３の受信手段と、視聴履歴情報に基づき第１の記憶手段から広告メタデータを選択し、対応する広告映像データを配信コンテンツに挿入する手段と、広告映像データが挿入された配信コンテンツを視聴者端末に配信する配信手段とを備える。【選択図】図１
2010219875.tif 000002
【特許請求の範囲】
【請求項１】
放送局から放送される放送番組として広告映像データが挿入された番組コンテンツを視聴する視聴者端末とネットワークを介して通信するコンテンツ配信装置であって、
前記放送局から、前記広告映像データが挿入された前記番組コンテンツと、前記番組コンテンツの電子番組情報とを含む放送信号を受信する第１の受信手段と、
前記広告映像データが挿入された前記番組コンテンツから前記広告映像データを抽出し、前記電子番組情報に基づき前記番組コンテンツの出演者、ジャンルおよびタイトルを含む広告メタデータを作成する広告抽出手段と、
抽出した広告映像データと、作成した広告メタデータとを関連づけて記憶する第１の記憶手段と、
前記ネットワークを介して前記視聴者端末に配信するべき映像コンテンツである配信コンテンツを記憶する第２の記憶手段と、
前記視聴者端末からコンテンツ配信要求を受信する第２の受信手段と、
前記コンテンツ配信要求に指定される配信コンテンツを前記第２の記憶手段から選択するコンテンツ選択手段と、
前記視聴者端末で視聴された前記番組コンテンツの出演者、ジャンルおよびタイトルを含む、前記視聴者端末の視聴履歴情報を前記視聴者端末から受信する第３の受信手段と、
前記視聴履歴情報に基づき前記第１の記憶手段から前記広告メタデータを選択し、選択した広告メタデータに対応する広告映像データを前記第１の記憶手段から読み出して前記コンテンツ選択手段により選択された配信コンテンツに挿入する広告挿入手段と、
前記広告映像データが挿入された前記配信コンテンツを前記視聴者端末に配信する配信手段と
を備えたコンテンツ配信装置。
【請求項２】
前記広告挿入手段は、前記視聴履歴情報に含まれる各前記出演者、各前記ジャンルまたは各前記タイトルの出現頻度に基づいて、１つまたは複数の、前記出演者、前記ジャンルまたは前記タイトルを特定し、特定した出演者、ジャンルまたはタイトル含む広告メタデータを選択する
ことを特徴とする請求項１に記載のコンテンツ配信装置。
【請求項３】
前記コンテンツ配信要求に指定される配信コンテンツと出演者が共通する番組コンテンツのタイトルを前記視聴履歴情報から特定し、特定したタイトルを含む広告メタデータを選択する
ことを特徴とする請求項１に記載のコンテンツ配信装置。
【請求項４】
前記電子番組情報は前記番組コンテンツの内容説明記述を含み、
前記放送信号は前記番組コンテンツで使われている音声の文字情報を記述した字幕データを含み、
前記広告抽出手段は、前記番組コンテンツの内容説明記述および前記字幕データの少なくとも一方に基づきキーワード検出を行い、前記キーワード検出により検出したキーワードを前記広告メタデータに含め、
前記視聴履歴情報は、前記視聴者端末で視聴された前記番組コンテンツの内容に関するキーワードを含み、
前記広告挿入手段は、前記視聴履歴情報に含まれる各前記キーワードの出現頻度に基づいて１つまたは複数のキーワードを特定し、特定したキーワードを含む広告メタデータを選択する、
ことを特徴とする請求項１に記載のコンテンツ配信装置。
【請求項５】
前記放送信号は、前記番組コンテンツの進行内容を時刻情報と関連づけて記述した字幕データを含み、
前記電子番組情報は、前記番組コンテンツの放送日を含み、
前記広告抽出手段は、前記電子番組情報および前記字幕データに基づいて、前記広告映像データの放送日時を検出し、検出した放送日時を前記広告メタデータに含め、
前記広告挿入手段は、前記放送日時が前記コンテンツ配信要求が行われた日時に近い広告メタデータ、または前記放送日時の時刻部分が前記コンテンツ配信要求が行われた時刻に近い広告メタデータを選択する
ことを特徴とする請求項１に記載のコンテンツ配信装置。
【請求項６】
前記放送信号は、前記番組コンテンツの進行内容を時刻情報と関連づけて記述した字幕データを含み、
前記広告抽出手段は、前記字幕データに基づき広告開始時刻および広告終了時刻を検出し、前記番組コンテンツにおいて前記広告開始時刻および前記広告終了時刻間のデータを前記広告映像データとして抽出する
ことを特徴とする請求項１に記載のコンテンツ配信装置。
【請求項７】
放送局から放送される放送番組として広告映像データが挿入された番組コンテンツを視聴し、視聴された番組コンテンツの出演者、ジャンルおよびタイトルを含む視聴履歴情報を作成および蓄積する視聴者端末であって、
前記放送局から、前記広告映像データが挿入された前記番組コンテンツと、前記番組コンテンツの電子番組情報とを含む放送信号を受信する第１の受信手段と、
前記広告映像が挿入された前記番組コンテンツから広告映像データを抽出し、前記電子番組情報に基づき前記番組コンテンツの出演者、ジャンルおよびタイトルを含む広告メタデータを作成する広告抽出手段と、
抽出した広告映像データと、作成した広告メタデータとを関連づけて記憶する第１の記憶手段と、
ネットワークを介して配信するべき映像コンテンツである配信コンテンツの配信を管理するコンテンツ配信装置に対して前記ネットワークを介してコンテンツ配信要求を送信し、前記コンテンツ配信装置から前記コンテンツ配信要求に指定される配信コンテンツを取得する配信要求手段と、
前記視聴履歴情報に基づき前記第１の記憶手段から前記広告メタデータを選択し、選択した広告メタデータに対応する広告映像データを前記第１の記憶手段から読み出して前記配信要求手段により取得された配信コンテンツに挿入する広告挿入手段と、
前記広告映像データが挿入された前記配信コンテンツを再生するコンテンツ再生手段と、
を備えた視聴者端末。
【請求項８】
放送局から放送される放送番組として広告映像データが挿入された番組コンテンツを視聴する視聴者端末とネットワークを介して通信するコンピュータにおいて実行するコンテンツ配信方法であって、
第１の受信手段が、前記広告映像データが挿入された前記番組コンテンツと、前記番組コンテンツの電子番組情報とを含む放送信号を前記放送局から受信し、
広告抽出手段が、前記広告映像データが挿入された前記番組コンテンツから広告映像データを抽出し、また前記電子番組情報に基づき前記番組コンテンツの出演者、ジャンルおよびタイトルを含む広告メタデータを作成し、抽出した広告映像データと、作成した広告メタデータとを関連づけて第１の記憶手段に記憶し、
第２の受信手段が、前記視聴者端末からコンテンツ配信要求を受信し、
コンテンツ選択手段が、前記ネットワークを介して前記視聴者端末に配信するべき映像コンテンツである配信コンテンツを記憶する第２の記憶手段から、前記コンテンツ配信要求に指定される配信コンテンツを選択し、
第３の受信手段が、前記視聴者端末で視聴された前記番組コンテンツの出演者、ジャンルおよびタイトルを含む、前記視聴者端末の視聴履歴情報を前記視聴者端末から受信し、
広告挿入手段が、前記視聴履歴情報に基づき前記第１の記憶手段から前記広告メタデータを選択し、選択した広告メタデータに対応する広告映像データを前記第１の記憶手段から読み出して、選択された配信コンテンツに挿入し、
配信手段が、前記広告映像データが挿入された前記配信コンテンツを前記視聴者端末に配信する
ことを特徴とするコンテンツ配信方法。
【請求項９】
放送局から放送される放送番組として広告映像データが挿入された番組コンテンツを視聴し、視聴した番組コンテンツの出演者、ジャンルおよびタイトルを含む視聴履歴情報を作成および蓄積する視聴者端末において実行するコンテンツ再生方法であって、
第１の受信手段が、前記放送局から、前記広告映像データが挿入された前記番組コンテンツと、前記番組コンテンツの電子番組情報とを含む放送信号を受信し、
広告抽出手段が、前記広告映像データが挿入された前記番組コンテンツから広告映像データを抽出し、前記電子番組情報に基づき前記番組コンテンツの出演者、ジャンルおよびタイトルを含む広告メタデータを作成し、抽出した広告映像データと、作成した広告メタデータとを関連づけて第１の記憶手段に記憶し、
配信要求手段が、ネットワークを介して配信するべき映像コンテンツである配信コンテンツの配信を管理するコンテンツ配信装置に対して前記ネットワークを介してコンテンツ配信要求を送信し、前記コンテンツ配信装置から前記コンテンツ配信要求に指定される配信コンテンツを取得し、
広告挿入手段が、前記視聴履歴情報に基づき前記第１の記憶手段から前記広告メタデータを選択し、選択した広告メタデータに対応する広告映像データを前記第１の記憶手段から読み出して、取得した配信コンテンツに挿入し、
コンテンツ再生手段が、前記広告映像データが挿入された前記配信コンテンツを再生する
ことを特徴とするコンテンツ再生方法。
【発明の詳細な説明】
【技術分野】
【０００１】
本発明はコンテンツ配信装置、コンテンツ配信方法、視聴者端末およびコンテンツ再生方法に関し、たとえばコンテンツに広告を挿入してネット配信する広告挿入方式に関する。
【背景技術】
【０００２】
近年、リアルタイムで放送されるTV（テレビ）の視聴が減少傾向にあり、代わって、インターネットを通じたコンテンツのダウンロード視聴が増加している。TV放送番組には、想定される番組視聴率に応じた広告枠と広告額が設定されていて、番組スポンサーによる広告(CM)が番組に挿入されることが多い。しかし、たとえ同一コンテンツであっても、リアルタイムのTV放送では広告が配信されるのに対してインターネットを介したネット配信では広告が含まれないため、広告の効果(到達)が疑問視されている。そのため、特許文献１には、以下のような、ネット配信コンテンツに広告を挿入するシステムが提案されている。
【０００３】
このシステムでは、コンテンツ制作会社の端末と、広告代理店もしくは広告主の端末と、映像配信会社の端末および映像配信サーバと、をネットワークを介して接続する。TV放送と同様に各コンテンツに対する広告枠と広告額が設定され、広告代理店は広告主から指定された条件に応じて映像配信会社から広告枠を購入し、映像配信会社の映像配信サーバは、広告主の購入した広告枠に広告映像データを挿入したコンテンツを視聴者端末へ配信する。このように、特許文献１では、映像配信サーバ上でネット配信コンテンツの広告を広告主と売買する仕組みと、広告を挿入したコンテンツを視聴者に配信する仕組みを提供している。
【先行技術文献】
【特許文献】
【０００４】
【特許文献１】特開第2008-22298号公報
【発明の概要】
【発明が解決しようとする課題】
【０００５】
しかしながら、特許文献１のシステムを用いてコンテンツに広告を挿入する場合には、映像配信会社の映像配信サーバは、広告代理店の事業者端末から広告映像データを取得しなければならず、また、広告主や広告代理店は広告挿入・配信の条件をあらかじめ映像配信会社に指定しなければならず、このため、映像配信会社、広告主や広告代理人の手間が大きかった。
【０００６】
本発明は、視聴者端末へ配信する配信コンテンツに挿入するべき広告映像データの取得および決定をより簡単に行うことを可能としたコンテンツ配信装置、コンテンツ配信方法、視聴者端末およびコンテンツ再生方法を提供する。
【課題を解決するための手段】
【０００７】
本発明のコンテンツ配信装置は、
放送局から放送される放送番組として広告映像データが挿入された番組コンテンツを視聴する視聴者端末とネットワークを介して通信するコンテンツ配信装置であって、
前記放送局から、前記広告映像データが挿入された前記番組コンテンツと、前記番組コンテンツの電子番組情報とを含む放送信号を受信する第１の受信手段と、
前記広告映像データが挿入された前記番組コンテンツから前記広告映像データを抽出し、前記電子番組情報に基づき前記番組コンテンツの出演者、ジャンルおよびタイトルを含む広告メタデータを作成する広告抽出手段と、
抽出した広告映像データと、作成した広告メタデータとを関連づけて記憶する第１の記憶手段と、
前記ネットワークを介して前記視聴者端末に配信するべき映像コンテンツである配信コンテンツを記憶する第２の記憶手段と、
前記視聴者端末からコンテンツ配信要求を受信する第２の受信手段と、
前記コンテンツ配信要求に指定される配信コンテンツを前記第２の記憶手段から選択するコンテンツ選択手段と、
前記視聴者端末で視聴された前記番組コンテンツの出演者、ジャンルおよびタイトルを含む、前記視聴者端末の視聴履歴情報を前記視聴者端末から受信する第３の受信手段と、
前記視聴履歴情報に基づき前記第１の記憶手段から前記広告メタデータを選択し、選択した広告メタデータに対応する広告映像データを前記第１の記憶手段から読み出して前記コンテンツ選択手段により選択された配信コンテンツに挿入する広告挿入手段と、
前記広告映像データが挿入された前記配信コンテンツを前記視聴者端末に配信する配信手段と
を備える。
【０００８】
本発明の視聴者端末は、
放送局から放送される放送番組として広告映像データが挿入された番組コンテンツを視聴し、視聴された番組コンテンツの出演者、ジャンルおよびタイトルを含む視聴履歴情報を作成および蓄積する視聴者端末であって、
前記放送局から、前記広告映像データが挿入された前記番組コンテンツと、前記番組コンテンツの電子番組情報とを含む放送信号を受信する第１の受信手段と、
前記広告映像が挿入された前記番組コンテンツから広告映像データを抽出し、前記電子番組情報に基づき前記番組コンテンツの出演者、ジャンルおよびタイトルを含む広告メタデータを作成する広告抽出手段と、
抽出した広告映像データと、作成した広告メタデータとを関連づけて記憶する第１の記憶手段と、
ネットワークを介して配信するべき映像コンテンツである配信コンテンツの配信を管理するコンテンツ配信装置に対して前記ネットワークを介してコンテンツ配信要求を送信し、前記コンテンツ配信装置から前記コンテンツ配信要求に指定される配信コンテンツを取得する配信要求手段と、
前記視聴履歴情報に基づき前記第１の記憶手段から前記広告メタデータを選択し、選択した広告メタデータに対応する広告映像データを前記第１の記憶手段から読み出して前記配信要求手段により取得された配信コンテンツに挿入する広告挿入手段と、
前記広告映像データが挿入された前記配信コンテンツを再生するコンテンツ再生手段と、
を備える。
【０００９】
本発明のコンテンツ配信方法は、
放送局から放送される放送番組として広告映像データが挿入された番組コンテンツを視聴する視聴者端末とネットワークを介して通信するコンピュータにおいて実行するコンテンツ配信方法であって、
第１の受信手段が、前記広告映像データが挿入された前記番組コンテンツと、前記番組コンテンツの電子番組情報とを含む放送信号を前記放送局から受信し、
広告抽出手段が、前記広告映像データが挿入された前記番組コンテンツから広告映像データを抽出し、前記電子番組情報に基づき前記番組コンテンツの出演者、ジャンルおよびタイトルを含む広告メタデータを作成し、抽出した広告映像データと、作成した広告メタデータとを関連づけて第１の記憶手段に記憶し、
第２の受信手段が、前記視聴者端末からコンテンツ配信要求を受信し、
コンテンツ選択手段が、前記ネットワークを介して前記視聴者端末に配信するべき映像コンテンツである配信コンテンツを記憶する第２の記憶手段から、前記コンテンツ配信要求に指定される配信コンテンツを選択し、
第３の受信手段が、前記視聴者端末で視聴された前記番組コンテンツの出演者、ジャンルおよびタイトルを含む、前記視聴者端末の視聴履歴情報を前記視聴者端末から受信し、
広告挿入手段が、前記視聴履歴情報に基づき前記第１の記憶手段から前記広告メタデータを選択し、選択した広告メタデータに対応する広告映像データを前記第１の記憶手段から読み出して、選択された配信コンテンツに挿入し、
配信手段が、前記広告映像データが挿入された前記配信コンテンツを前記視聴者端末に配信する
ことを特徴とする。
【００１０】
本発明のコンテンツ再生方法は、
放送局から放送される放送番組として広告映像データが挿入された番組コンテンツを視聴し、視聴した番組コンテンツの出演者、ジャンルおよびタイトルを含む視聴履歴情報を作成および蓄積する視聴者端末において実行するコンテンツ再生方法であって、
第１の受信手段が、前記放送局から、前記広告映像データが挿入された前記番組コンテンツと、前記番組コンテンツの電子番組情報とを含む放送信号を受信し、
広告抽出手段が、前記広告映像データが挿入された前記番組コンテンツから広告映像データを抽出し、前記電子番組情報に基づき前記番組コンテンツの出演者、ジャンルおよびタイトルを含む広告メタデータを作成し、抽出した広告映像データと、作成した広告メタデータとを関連づけて第１の記憶手段に記憶し、
配信要求手段が、ネットワークを介して配信するべき映像コンテンツである配信コンテンツの配信を管理するコンテンツ配信装置に対して前記ネットワークを介してコンテンツ配信要求を送信し、前記コンテンツ配信装置から前記コンテンツ配信要求に指定される配信コンテンツを取得し、
広告挿入手段が、前記視聴履歴情報に基づき前記第１の記憶手段から前記広告メタデータを選択し、選択した広告メタデータに対応する広告映像データを前記第１の記憶手段から読み出して、取得した配信コンテンツに挿入し、
コンテンツ再生手段が、前記広告映像データが挿入された前記配信コンテンツを再生する
ことを特徴とする。
【発明の効果】
【００１１】
本発明により、配信コンテンツに挿入するべき広告映像データの取得および決定をより簡単に行うことが可能となる。
【図面の簡単な説明】
【００１２】
【図１】本発明の第１の実施形態としてのコンテンツ配信装置を含むコンテンツ配信基盤の全体構成図である。
【図２】コンテンツメタデータ記憶部およびコンテンツ記憶部に記憶されるデータの構成例を示す図である。
【図３】広告メタデータ記憶部および広告映像データ記憶部に記憶されるデータの構成例を示す図である。
【図４】図１のコンテンツ配信装置の処理フロー図である。
【図５】コンテンツデータおよびコンテンツメタデータの取得処理を説明するための図である。
【図６】広告映像データおよび広告メタデータの取得処理を説明するための図である。
【図７】挿入広告取得部の処理の具体例を説明するための図である。
【図８】視聴履歴情報の一例を示す図である。
【図９】広告映像データの挿入方式の説明図である。
【図１０】本発明の第２の実施形態としてのコンテンツ配信システムを含むコンテンツ配信基盤の全体構成図である。
【図１１】本発明の第３の実施形態としての視聴者端末を含むコンテンツ配信基盤の全体構成図である。
【発明を実施するための形態】
【００１３】
（第１の実施形態）
図１は本発明の第１の実施形態に係るコンテンツ配信装置を備えたコンテンツ配信基盤の全体構成を示す。
【００１４】
図１のコンテンツ配信基盤は、テレビ番組等の放送番組（映像番組）として広告映像が挿入された番組コンテンツを放送する放送局１２と、インターネット等のネットワーク９を介して互いに接続されたコンテンツ配信装置１０、コンテンツ事業者端末１１および視聴者端末８とを備える。
【００１５】
放送局１２は、放送波を通じて、番組コンテンツと、番組コンテンツに挿入された（埋め込まれた）広告映像データと、テレビ番組の電子番組情報とを含む放送信号を送信する。放送信号はさらに番組コンテンツで用いられる音声の文字情報とテレビ番組の進行内容とを時刻情報と関連づけて記述した字幕データ（後述する図７参照）を含んでもよい。番組コンテンツは映像のみから構成されていてもよいし、映像と音声から構成されていてもよい。以降の説明では番組コンテンツは映像および音声から構成されるとするが、本発明は番組コンテンツに音声が伴わない場合にも適用可能である。
【００１６】
コンテンツ事業者端末１１は、視聴者端末８に配信するべき映像コンテンツである配信コンテンツと、当該配信コンテンツのメタデータ（コンテンツメタデータ）とをコンテンツ配信装置１０に提供する。配信コンテンツは映像のみから構成されていてもよいし、映像と音声から構成されていてもよい。以降の説明では配信コンテンツは映像および音声から構成されるとするが、本発明は配信コンテンツに音声が伴わない場合にも適用可能である。
【００１７】
コンテンツ配信装置１０は、視聴者端末８からのコンテンツ配信要求を受けて当該要求に指定される配信コンテンツに挿入するべき広告映像データを選択し、選択した広告映像データを当該要求に指定される配信コンテンツに挿入してネットワーク９を介して配信する。
【００１８】
視聴者端末８は、コンテンツ配信装置１０にコンテンツ配信要求を送信し、当該コンテンツ配信要求により指定した配信コンテンツを、広告映像データが挿入された状態で受信して視聴（再生）する。また視聴者端末８は、放送局１２から放送されるテレビ番組（広告映像が挿入された番組コンテンツ）および電子番組情報を含む放送信号を受信し、広告映像が挿入された番組コンテンツを視聴する。また視聴者端末８は、電子番組情報を利用して、視聴した番組コンテンツの視聴履歴情報（後述する図８参照）を生成する機能を有し、また生成した視聴履歴情報を記憶する視聴履歴情報記憶部８ａを有している。
【００１９】
以下コンテンツ配信装置１０の詳細について説明する。
【００２０】
図１のコンテンツ配信装置１０は、ネットワーク９を介して視聴者端末８に配信すべき映像コンテンツである配信コンテンツを記憶するコンテンツ記憶部６、配信コンテンツのメタデータを記憶するコンテンツメタデータ記憶部５、コンテンツ記憶部６およびコンテンツメタデータ記憶部５を管理するコンテンツ管理部２、配信コンテンツに挿入するべき広告映像データを記憶する広告映像データ記憶部７と、広告映像データのメタデータである広告メタデータを記憶する広告メタデータ記憶部４と、広告映像データ記憶部７および広告メタデータ記憶部４を管理する広告抽出・管理部１と、視聴者端末８からのコンテンツ配信要求を受け当該要求に指定される配信コンテンツに、後述する手法で選択した広告映像データを挿入して視聴者端末８に配信するコンテンツ配信処理部３とを備える。広告抽出・管理部１、コンテンツ管理部２、コンテンツ配信処理部３は、通信インターフェースＩＦを介してネットワーク９に接続されている。
【００２１】
図４は、図１のコンテンツ配信装置１０の処理フローを示すフローチャートである。以下では、このフローチャートを参照しつつ、図２、図３、図５〜図９を用いて、コンテンツ配信装置１０の詳細動作を説明する。
【００２２】
ステップＳ１では、コンテンツ管理部２が、ネットワーク９を介してコンテンツ事業者端末１２から配信コンテンツおよびコンテンツメタデータを取得して、取得した配信コンテンツおよびコンテンツメタデータをコンテンツ記憶部６およびコンテンツメタデータ記憶部５に格納する。コンテンツ記憶部６はたとえば本発明の第２の記憶手段に相当する。
【００２３】
図５は、配信コンテンツおよびコンテンツメタデータの取得および格納例を示す。
【００２４】
図５に示すように、例えば放送局会社やコンテンツ制作会社などにより扱われるコンテンツ事業者端末１１において、コンテンツ編集部１１ｃを用いて配信コンテンツおよびコンテンツメタデータを制作・編集し、配信コンテンツおよびコンテンツメタデータをコンテンツ記憶部１１ａおよびコンテンツメタデータ記憶部１１ｂに記憶する。コンテンツメタデータの作成の際は、インサーションポイント生成部１１ｄを利用して、配信コンテンツにおける広告挿入位置（広告挿入開始時刻と広告挿入終了時刻とによって表現される広告挿入可能時間）を示すインサーションポイント情報を作成し、作成したインサーションポイント情報をコンテンツメタデータに含める。インサーションポイント情報はたとえば「１５−１５．５、４０−４０．２５、７０−７０．２５」といった形式を有する。この値の例は、配信コンテンツのコンテンツ開始時刻から計算して（配信コンテンツの先頭を開始時刻として）、１５分（１５）〜１５分３０秒（１５．５）までの間、４０分（４０）〜４０分１５秒（４０．２５）までの間、７０分（７０）〜７０分１５秒（７０．２５）までの間に広告映像データを挿入可能であることを示す。すなわち各広告可能時間に完全に一致する時間長の広告（広告映像データ）が挿入されてもよいし、これより短い間の広告（広告映像データ）が挿入されてもよい。たとえば「１５−１５．５」の広告挿入ポイントの場合、３０秒もしくはこれより短い広告（広告映像データ）を挿入可能である。ただしインサーションポイント情報として広告挿入開始時間のみを設定し広告挿入終了時間を設けないことで、挿入する広告可能時間の長さに制限を設けないようにしてもよい。
【００２５】
コンテンツ事業者端末１２は、コンテンツ記憶部１１ａおよびコンテンツメタデータ記憶部１１ｂに記憶されたデータ（配信コンテンツおよびコンテンツメタデータ）を読み出してネットワーク９を介してコンテンツ配信装置１０のコンテンツ管理部２に送る。コンテンツ管理部２は、コンテンツ事業者端末１２から受信したデータをコンテンツ記憶部６およびコンテンツメタデータ記憶部５に格納する。
【００２６】
図２はコンテンツ記憶部６およびコンテンツメタデータ記憶部５に格納されるデータの構成例を示す。
【００２７】
コンテンツ記憶部６は、配信コンテンツと、当該配信コンテンツを一意に決定するコンテンツIDとを一組として保持する。
【００２８】
コンテンツメタデータ記憶部５は、コンテンツIDと、そのコンテンツIDが指す配信コンテンツのメタデータとを一組としてもつ。メタデータは、例えば、タイトル、ジャンル出演者、あらすじ、インサーションポイント情報、インサーションポイント情報を一意に識別するインサーションポイントIDを含む。
【００２９】
コンテンツ記憶部６内の配信コンテンツと、コンテンツメタデータ記憶部５内のコンテンツメタデータとは互いにコンテンツIDを介して関連づけられる。
【００３０】
次に、ステップＳ２では、広告抽出・管理部１が、放送局１１から、番組コンテンツと、番組コンテンツに挿入された広告映像と、電子番組情報と、字幕データとを含む放送信号をコンテンツデータとして受信し、広告映像が挿入された番組コンテンツから広告部分（広告映像データ）を切り出して広告映像データ記憶部７に記憶する。また、広告抽出・管理部１は、コンテンツデータにおける電子番組情報および字幕データの少なくとも一方を用いて広告メタデータを作成し、作成した広告メタデータを広告メタデータ記憶部４に格納する。
【００３１】
より詳細には、広告抽出・管理部１はコンテンツ録画部（第１の受信手段）１ａ、広告抽出部１ｂおよび広告管理部１ｃを備える。広告管理部１ｃは以降で説明する他のステップで動作し、本ステップでは動作しないため、ここでは説明せず、後に説明を行う。したがって、以下、広告抽出・管理部１におけるコンテンツ録画部１ａおよび広告抽出部１ｂの詳細動作について説明する。
【００３２】
コンテンツ録画部１ａは、図６に示すように、放送局１２から電波により放送されるテレビ番組の放送信号（番組コンテンツと、番組コンテンツに挿入された広告映像と、電子番組情報と、字幕データとを含む）をコンテンツデータとして受信および記録する。
【００３３】
広告抽出部１ｂは、広告映像が挿入された（埋め込まれた）番組コンテンツから広告部分（広告映像データ）を切り出すとともに、電子番組情報と字幕データとの少なくとも一方を用いて広告メタデータを作成する。
【００３４】
図７は、広告抽出部１ｂの動作の具体例を説明する図である。
【００３５】
広告映像データの抽出および広告メタデータの作成は、広告映像が挿入された（埋め込まれた）番組コンテンツd3、電子番組情報（電子番組表）d1、字幕データd2をもとに行う。
【００３６】
電子番組表d1には、放送番組のタイトル、ジャンル、放送チャンネル、放送日、開始時間、終了時間、出演者、番組説明などが記述されている。
【００３７】
字幕データd2は、番組の進行内容と、番組の進行に伴って出演者等により発生させられる音声の文字情報とを時刻情報と関連づけて表す。
【００３８】
広告抽出部１ｂは、たとえばこの字幕情報d2を用いて広告映像データを抽出する。すなわち、字幕情報d2にて広告（CM）の開始・終了時刻が特定できるため、これら開始・終了時刻間のデータを、番組コンテンツd3から切り出すことにより広告映像データを得ることができる。
【００３９】
また、広告抽出部１ｂは、広告ID（広告を一意に決定する）、広告挿入番組タイトル、広告挿入番組出演者、広告挿入番組ジャンル、広告挿入番組キーワード、広告放送局、広告日時（放送日時）、広告時間などを含む広告メタデータd4を、電子番組表d1と字幕データd2を元に作成する。たとえば広告挿入番組タイトルは電子番組表d1のタイトルから取得し、広告日時（放送日時）は電子番組表d1の放送日と字幕データd2のCM開始時刻（CM入りの時刻）とに基づき取得し、広告時間は字幕データd2のCM開始・終了時刻間の差を求めることにより取得し、広告番組キーワードは電子番組表d1の番組説明または字幕データd2からキーワード検出を行うことによって取得する。広告IDは、他の広告メタデータd4と重複しないように生成する。
【００４０】
広告抽出部１ｂは、このようにして抽出した広告映像データおよび作成した広告メタデータを広告映像データ記憶部７と広告メタデータ記憶部４へ格納する。格納の際、広告映像データには、当該広告映像データに対応する広告メタデータの広告IDと同一の広告IDを付与する。
【００４１】
図３は広告映像データ記憶部７および広告メタデータ記憶部４に格納されたデータの構成例を示す。
【００４２】
広告メタデータ記憶部４は、広告抽出部１ｂにより作成された広告メタデータを記憶する。広告メタデータは、広告ID、広告が挿入されていた番組のタイトルである広告挿入番組タイトル、当該番組の出演者、当該番組のジャンル、当該番組の内容を示すキーワード、当該番組の放送局（広告放送局）、広告日時（放送日時）、広告の長さを表す広告時間、当該番組の広告主を一意に決定する広告主ID、など含む。
【００４３】
広告映像データ記憶部７は、広告映像データと、これに対応する広告メタデータの広告IDとを一組として保持する。
【００４４】
広告メタデータ記憶部４内の広告メタデータと広告映像データ記憶部７内の広告映像データとは広告IDを介して互いに関連づけられる。広告メタデータ記憶部４と広告映像データ記憶部７は本発明の第１の記憶手段を形成する。
【００４５】
図４のステップＳ３では、図1におけるコンテンツ配信処理部３が、視聴者端末８からコンテンツ配信要求を配信管理部３ａにおいて受け付ける。コンテンツ配信要求は、少なくともコンテンツＩＤを含み、これに加えて配信要求コンテンツのメタデータ（タイトル、ジャンル、あらすじ等）を含んでもよい（後述する図９参照）。配信管理部３ａはコンテンツ配信要求を受信する本発明の第２の受信手段を含む。当該コンテンツ配信要求を受けると、配信管理部３ａは、コンテンツ管理部２に問合せることにより、配信要求された配信コンテンツとこれに対応するコンテンツメタデータを取得する。配信管理部３ａからの問い合わせを受けたコンテンツ管理部２は、問い合わせ内容に合致する配信コンテンツおよびコンテンツメタデータをコンテンツメタデータ記憶部５およびコンテンツ記憶部６から検索して配信管理部３ａに返す。
【００４６】
図４のステップＳ４では、コンテンツ配信処理部３の配信管理部３ａが、視聴者の視聴履歴情報を視聴者端末８からネットワーク９経由で獲得する。配信管理部３ａは視聴履歴情報を受信する本発明の第３の受信手段を備える。視聴履歴情報は、視聴者端末８において視聴されたテレビ番組（番組コンテンツ）の視聴履歴を示すものである。視聴履歴情報は、例えば図８に示すように、視聴日、視聴時間帯、視聴番組のタイトル、放送局、出演者、ジャンル、番組内容のキーワード、番組内容などの情報を含んでいる。この視聴履歴情報に、配信コンテンツの視聴履歴が含まれていても良い。
【００４７】
図４のステップＳ５では、コンテンツ配信処理部３の挿入広告取得部（広告挿入手段）３ｂが、ステップＳ３で取得された配信コンテンツに挿入する広告（広告映像データ）を取得する。より詳細に、挿入広告取得部３ｂが、ステップＳ３で取得されたコンテンツメタデータ（コンテンツ配信要求にメタデータが付加されている場合はこのメタデータを代わりに用いてもよい）に基づき、配信要求された配信コンテンツに広告を挿入する箇所（インサーションポイントＩＤおよびインサーションポイント情報）を特定し、特定した箇所毎に、挿入すべき広告の選択条件を設定する。広告選択条件の設定は、たとえば視聴履歴情報、配信要求された配信コンテンツのコンテンツメタデータ、またはコンテンツ配信要求のデータに基づき行う。インサーションポイント（広告を挿入する箇所）が複数存在するときは、各箇所でそれぞれ異なる広告選択条件を設定してもよいし、各箇所でそれぞれ同じ広告選択条件を設定してもよい。前者の場合は、各箇所でそれぞれ異なる広告映像データが挿入されることが期待できる。挿入広告取得部３ｂは、設定した広告選択条件を、インサーションポイントIDおよびインサーションポイント情報とともに、広告抽出・管理部１に送る。広告選択条件の設定例は後述する。
【００４８】
広告抽出・管理部１における広告管理部１ｃは、インサーションポイント毎に、挿入広告取得部３ｂから受け取った広告選択条件に適合する広告メタデータを広告メタデータ記憶部４から選択し、選択された広告メタデータに対応する広告映像データを広告映像データ記憶部７から取得する。この際、広告設定条件を満たすと同時に、インサーションポイント情報に示される広告可能時間以下の長さの広告時間を記述した広告メタデータを選択するようにし、これにより広告可能時間以下の長さをもつ広告映像データを取得するようにする。インサーションポイント情報として広告開始時刻のみが設定されている場合は、挿入する広告時間の制限はないものとして扱うようにすればよい。広告抽出・管理部１は、取得した広告映像データをインサーションポイント毎にコンテンツ配信処理部３に返す。
【００４９】
以下図９を参照して、挿入広告取得部３ｂによる広告選択条件の設定例をいくつか示す。
【００５０】
（１）挿入広告取得部３ｂは、視聴履歴情報に記述された出演者、ジャンルまたはタイトルをもとに広告選択条件を設定する。図９の例では、配信要求コンテンツの出演者がFとGであり、視聴履歴情報にも出演者がFとGである番組（タイトル「とっておき情報」）が存在する。このことから、FとGが出演する番組を視聴者が好む傾向にあると考えられる。そこで「広告挿入番組タイトル」が「とっておき情報」である広告メタデータを選択することを広告選択条件として設定してもよい。すなわち挿入広告取得部３ｂは、配信要求コンテンツと出演者が所定数（本例では２）以上共通する番組のタイトルを視聴履歴情報から検出し、検出したタイトルを「広告挿入番組タイトル」としてもつ広告メタデータを選択することを広告選択条件として設定してもよい。
【００５１】
または配信要求コンテンツと同じジャンルをもつ番組のタイトルを視聴履歴情報から検出して、検出したタイトルを「広告挿入番組タイトル」としてもつ広告メタデータを選択することを広告選択条件として設定する。
【００５２】
または配信要求コンテンツと同じタイトルが視聴履歴情報に存在するときは、そのタイトルを「広告挿入番組タイトル」としてもつ広告メタデータを選択することを広告選択条件として設定してもよい。
【００５３】
（２）また、視聴履歴情報において、出演者の頻度、ジャンルの頻度またはキーワードの頻度をもとに広告選択条件を設定する方法が考えられる。図９の例では、視聴履歴情報にはジャンル「情報・ワイドショー」の番組が多く含まれ、視聴者は「情報・ワイドショー」番組を好む傾向にあることが分かる。そこで、広告挿入番組ジャンルが「情報・ワイドショー」である広告メタデータを選択することを広告選択条件として設定してもよい。
【００５４】
または、視聴履歴情報に「結婚」というキーワードが多く存在することから、「結婚」は視聴者が好む話題であると考えられる。そこで、広告挿入番組キーワードとして「結婚」をもつ広告メタデータを選択することを広告選択条件として設定してもよい。
【００５５】
または、視聴者履歴情報に含まれる番組のうちもっとも頻度の高いタイトルの番組を視聴者は好む傾向にあると考えられる。そこで、その番組のタイトルを「広告挿入番組タイトル」としてもつ広告メタデータを選択することを広告選択条件として設定してもよい。
【００５６】
（３）視聴者は、配信要求した配信コンテンツの視聴時には放送局１２による放送番組を視聴しないと予測される。そこで、配信要求日時に近い「広告日時（放送日時）」をもつ広告メタデータを選択することを広告選択条件として設定することも考えられる。たとえば配信要求日時に対し過去または将来において最も近い「広告日時（放送日時）」をもつ広告メタデータを選択してもよい。配信要求日時はコンテンツ配信要求に記述されてもよいし、コンテンツ配信要求の受信日時を配信要求日時として扱ってもよい。
【００５７】
あるいは配信要求時刻に近い時刻を、「広告日時（放送日時）」の時刻部分（広告時刻または放送時刻）としてもつ広告メタデータを選択することを広告選択条件として設定するようにしてもよい。たとえば配信要求時刻に対し過去または将来において最も近い時刻を、「広告日時（放送日時）」の時刻部分（広告時刻）としてもつ広告メタデータを選択することを広告選択条件としてもよいし、配信要求時刻に対し所定時間以内の時刻を「広告日時（放送日時）」としてもつ広告メタデータを選択することを広告選択条件としてもよい。配信要求時刻はコンテンツ配信要求に記述されていても良いし、コンテンツ配信要求の受信時刻を配信要求時刻として扱ってもよい。
【００５８】
（４）出演者が同一または重複する放送番組の視聴者層は嗜好が類似していると考えられる。そこで、配信要求コンテンツの出演者と同一あるいは重複する出演者を「広告挿入番組出演者」としてもつ広告メタデータを選択することを広告選択条件として設定してもよい。
【００５９】
ここで広告選択条件の設定の際、広告選択条件に複数の条件を含めることも可能である。たとえば（１）に基づく条件と、（３）に基づく条件とを広告選択条件に含めてもよい。
【００６０】
また、広告選択条件を満たす広告メタデータが複数存在するときはランダムに、選出する広告メタデータを絞り込んでもよい。
【００６１】
また、広告選択条件を満たす広告メタデータが複数存在するときは、さらに条件を追加して絞り込んでも良い。追加する条件はあらかじめ優先順位を付けて用意しておき、１つに絞り込まれるまで、優先順位の高い順に条件を追加適用してもよい。
【００６２】
ステップＳ６では、コンテンツ配信処理部３の挿入広告取得部３ｂが、ステップＳ５で取得された広告映像データを、インサーションポイントIDおよびインサーションポイント情報に基づき、ステップＳ３で取得した配信コンテンツに挿入する。すなわち、配信部３ｃは、インサーションポイント毎に、それぞれに対応して取得された広告映像データを挿入する。なおステップＳ５で広告映像データを取得する代わりに挿入広告取得部３ｂは広告メタデータを取得し、挿入広告取得部３ｂは、取得した広告メタデータに基づき広告映像データ記憶部にアクセスして、当該広告メタデータに対応する広告映像データを取得しても良い。
【００６３】
ステップＳ７では、配信部３ｃが、広告映像データが挿入された配信コンテンツを視聴者端末８にネットワーク９を介して配信する。なお、ステップＳ６では、広告映像データの挿入を挿入広告取得部３ｂが行うこととしているが、この処理を配信部３ｃが行うようにしてもよい。また、ステップＳ３で取得したコンテンツメタデータは視聴者端末１２には送信しないものとする。ただし、これらのデータを視聴者端末１２に送信して、視聴者端末１２側においてこれらのデータを活用するようにしても構わない。
【００６４】
以上のように、本実施の形態によれば、放送局からテレビ放送される番組コンテンツから広告映像データを抽出して記憶するようにしたことにより、広告代理店の事業者端末から広告映像データを取得するといった手続を不要とすることができる。
【００６５】
また、本実施の形態によれば、配信コンテンツに挿入する広告映像データを、視聴者の視聴履歴情報等に基づき、自動的に決定するため、視聴者の嗜好を反映した効果的な広告が可能となるとともに、広告代理店や広告主が広告挿入の条件を設定するといった手続をなくすことができる。
【００６６】
（第２の実施形態）
図１０は本発明の第２の実施形態としてのコンテンツ配信システムを備えたコンテンツ配信基盤を示す図である。
【００６７】
図１の第１の実施形態では１つのコンテンツ配信装置１０の内部に広告抽出・管理部１、コンテンツ管理部２、コンテンツ配信処理部３、広告メタデータ記憶部４、コンテンツメタデータ記憶部５、コンテンツ記憶部６、広告映像データ記憶部７が設けられる形態を示したが、本第２の実施形態では、広告管理サーバ１０１、コンテンツ管理サーバ１０２、コンテンツ配信サーバ１０３、広告メタデータ記憶部４、コンテンツメタデータ記憶部５、コンテンツ記憶部６、広告映像データ記憶部７が、それぞれ独立した装置として、ローカルのネットワークを介して接続されたコンテンツ配信システムが示される。このコンテンツ配信システムは、広告管理サーバ１０１、コンテンツ管理サーバ１０２、コンテンツ配信サーバ１０３を制御するためコンテンツ配信事業者によって操作される配信事業者端末１３をさらに備えている。
【００６８】
広告管理サーバ１０１は図１の同一名称の要素と同様の機能を有するコンテンツ記録部１ａ、広告抽出部１ｂ、広告管理部１ｃを備える。コンテンツ管理サーバ１０２は図１の同一名称の要素と同様の機能を有するコンテンツ管理部２ａを備える。コンテンツ配信サーバ１０３は図１の同一名称の要素と同様の機能を有する配信管理部３ａ、挿入広告決定部３ｂ、配信部３ｃを備える。
【００６９】
広告管理サーバ１０１、コンテンツ管理サーバ１０２、コンテンツ配信サーバ１０３および配信事業者端末１３はそれぞれ別個にネットワーク９に接続される。広告管理サーバ１は、放送局１２から電波により放送されるテレビ番組の放送信号（広告映像が挿入された番組コンテンツ、電子番組情報、字幕データ等を含む）を受信するアンテナ（図示せず）を備えている。
【００７０】
以下、広告管理サーバ１０１、コンテンツ管理サーバ１０２、コンテンツ配信サーバ１０３の動作について説明する。
【００７１】
コンテンツ管理サーバ１０２のコンテンツ管理部２ａは、コンテンツ配信サーバ１０３からの要求に応じて、コンテンツ記憶部６とコンテンツメタデータ記憶部５からそれぞれ配信コンテンツとコンテンツメタデータを取り出してコンテンツ配信サーバ１０３へ送る。
【００７２】
広告管理サーバ１０１のコンテンツ録画部１ａは、放送局１０２からの放送信号（番組コンテンツ、番組コンテンツに挿入された広告映像、電子番組情報、字幕データ等を含む）をコンテンツデータとして受信および記録する。広告抽出部１ｂは、広告映像に挿入された番組コンテンツから広告映像データを切り出して広告映像データ記憶部７へ格納するとともに、電子番組情報および字幕データに基づいて広告メタデータを作成して広告メタデータ記憶部４に格納する。広告管理部１ｃは、コンテンツ配信サーバ１０３からの広告選択条件とインサーションポイントIDとインサーションポイント情報に応じて、広告メタデータ記憶部４から広告メタデータを選択し、選択した広告メタデータに対応する広告映像データを広告映像データ記憶部７から選択する。そして広告管理部１ｃは、選択した広告映像データをコンテンツ配信サーバ１０３へ送る。
【００７３】
コンテンツ配信サーバ１０３の配信管理部３ａは、視聴者端末８から送信されたコンテンツ配信要求と視聴履歴情報を受信する。配信管理部３ａはコンテンツ管理サーバ１０２へコンテンツ配信要求に応じた配信コンテンツおよびメタデータの取得要求を行い、コンテンツ管理サーバ１０２から配信対象の配信コンテンツと、コンテンツメタデータを受け取る。挿入広告取得部３ｂは、視聴履歴情報等に基づき広告選択条件を設定し、設定した広告選択条件と、インサーションポイントIDおよびインサーションポイント情報とを広告管理サーバ１０１に送る。挿入広告取得部３ｂは、インサーションポイント毎に広告映像データを広告管理サーバ１０１から受け取る。挿入広告取得部３ｂは、インサーションポイント毎に受け取った広告映像データを配信対象の配信コンテンツに挿入し、配信部３ｃは、広告映像データが挿入された配信コンテンツを、ネットワーク９を介して視聴者端末８へ配信する。なお、ここでは、広告映像データの挿入を挿入広告取得部３ｂが行うこととしているが、この処理を配信部３ｃが行うようにしてもよい。
【００７４】
（第３の実施形態）
図１１は本発明の第３の実施形態としての視聴者端末（コンテンツ再生装置）を備えたコンテンツ配信基盤を示す図である。
【００７５】
第２の実施形態と第３の実施形態との主な違いは、図１０の広告管理サーバの機能、コンテンツ配信サーバの一部の機能（挿入広告取得部の全機能と、配信部の一部機能）、広告映像データ記憶部、および広告メタデータ記憶部を、図１０のコンテンツ配信システムから除去して、代わりに視聴者端末１０８に設けた点にある。その他の構成および処理は基本的に第２の実施形態と同様である。
【００７６】
本第３の実施形態のコンテンツ配信システムは、コンテンツ管理サーバ１０２、コンテンツ配信サーバ１０３、コンテンツメタデータ記憶部５、コンテンツ記憶部６を備えている。コンテンツ管理サーバ１０２およびコンテンツ配信サーバ１０３はネットワーク９に接続され、コンテンツ管理サーバ１０２はコンテンツ事業者端末１１と、コンテンツ配信サーバ１０３は視聴者端末１０８とそれぞれネットワーク９を介して通信可能である。またコンテンツ配信システムは第２の実施形態と同様、コンテンツ配信事業者によって操作される配信事業者端末１３が備え付けられている。
【００７７】
コンテンツ管理サーバ１０２は第２の実施形態と同様にコンテンツ管理部２ａを備えている。コンテンツ管理サーバ１０２のコンテンツ管理部２ａは、第２の実施形態と同様に、コンテンツ配信サーバ１０３からの要求に応じて、当該要求に適合する配信コンテンツとコンテンツメタデータをコンテンツ記憶部６とコンテンツメタデータ記憶部５から取り出してコンテンツ配信サーバ１０３へ送る。
【００７８】
コンテンツ配信サーバ１０３は配信管理部３ａと配信部３ｃとを備えている。配信管理部３ａは、視聴者端末１０８から送信されたコンテンツ配信要求を受け付け、当該配信要求に適合する配信コンテンツおよびコンテンツメタデータの取得要求をコンテンツ管理サーバ１０２に送る。配信管理部３ａは、コンテンツ管理サーバ１０２から配信対象の配信コンテンツと、コンテンツメタデータとを受け取ると、配信部３ｃが、コンテンツ配信要求に対する応答として、これら配信コンテンツとコンテンツメタデータを視聴者端末８へ配信する。
【００７９】
視聴者端末１０８は、視聴履歴情報記憶部８ａ、広告メタデータ記憶部８ｆ、広告映像データ記憶部８ｇ、コンテンツ録画部８ｂ、広告抽出部８ｃ、広告管理部８ｄ、配信要求部８ｊ、挿入広告取得部８ｅ、コンテンツ再生部８ｈ、を備える。視聴者端末１０８はネットワーク９に接続され、ネットワーク９を介してコンテンツ配信サーバ１０３と通信可能である。
【００８０】
視聴履歴情報記憶部８ａは、視聴者端末においてこれまで視聴された番組コンテンツの視聴履歴情報を記憶する（図８参照）。視聴履歴情報は配信コンテンツの視聴履歴を含んでもよい。視聴者端末１０８は、放送局１２から放送されるテレビ番組の放送信号（広告映像が挿入された番組コンテンツ、電子番組情報等）を受信し、広告映像が挿入された番組コンテンツを視聴する機能を有する。また視聴者端末１０８は、電子番組情報を利用して、視聴した番組コンテンツの視聴履歴情報を作成する視聴履歴作成手段を備えている。なお放送信号の受信は、次に述べるコンテンツ録画部８ｂを用いて行ってもよい。
【００８１】
コンテンツ録画部（第１の受信手段）８ｂは、放送局１２から放送波などにより送信されるテレビ番組の放送信号を図示しないアンテナを介して受信し、受信した放送信号のデータ（番組コンテンツ、番組コンテンツに挿入された広告映像、電子番組情報、字幕データ等を含む）を内部のバッファに録画する。
【００８２】
広告抽出部８ｃは、録画された番組コンテンツから広告部分を広告映像データとして切り出し、広告映像データを広告映像データ記憶部８ｇへ格納する。また広告抽出部８ｃは、電子番組情報と字幕データの少なくとも一方から広告メタデータを作成して広告メタデータ記憶部８ｆに格納する。広告映像データ記憶部８および広告メタデータ記憶部８ｆは本発明の第１の記憶手段を形成する。
【００８３】
広告管理部８ｄは、挿入広告取得部８ｅから送られる広告選択条件とインサーションポイントIDとインサーションポイント情報に基づき、インサーションポイント毎に適合する広告メタデータを広告メタデータ記憶部８ｆから選択し、選択した広告メタデータに対応する広告映像データを広告映像データ記憶部８ｇから取得し、取得した広告映像データを挿入広告取得部８ｅへ送る。
【００８４】
配信要求部８ｊはコンテンツ配信要求をネットワーク９を介してコンテンツ配信サーバ１０３に送信し、当該要求に適合する配信コンテンツとコンテンツメタデータとをコンテンツ配信サーバ１０３から受信する。
【００８５】
挿入広告取得部（広告挿入手段）８ｅは、視聴履歴情報記憶部８ａ内の視聴履歴情報をもとに広告選択条件を設定する。広告選択条件の設定にあたり、上記コンテンツメタデータおよび上記コンテンツ配信要求のデータを用いてもよい。挿入広告取得部８ｅは、設定した広告選択条件とインサーションポイントIDとインサーションポイント情報とを広告管理部８ｄに送り、広告管理部８ｄから、インサーションポイント毎に広告映像データを取得する。挿入広告取得部８ｅは、配信要求部８ｊにより取得された配信コンテンツに、インサーションポイント毎に、取得した広告映像データを挿入する。なお挿入広告取得部８ｅは、広告管理部８ｄから映像広告データの代わりに広告メタデータを受け取り、この広告メタデータに対応する広告映像データを自ら広告映像データ記憶部７にアクセスして取得してもよい。
【００８６】
コンテンツ再生部８ｈは、広告映像データの挿入された配信コンテンツを再生する。これにより視聴者に対し、適宜広告を挟みつつ、配信コンテンツ（映像コンテンツ）を視聴させることが可能となる。
【符号の説明】
【００８７】
１：広告抽出・管理部
１ａ：コンテンツ録画部（第１の受信手段）
１ｂ：広告抽出部
１ｃ：広告管理部
２：コンテンツ管理部
３：コンテンツ配信処理部
３ａ：配信管理部（第２の受信手段、第３の受信手段）
３ｂ：挿入広告取得部（広告挿入手段）
３ｃ：配信部（配信手段）
４：広告メタデータ記憶部（第１の記憶手段）
５：コンテンツメタデータ記憶部
６：コンテンツ記憶部（第２の記憶手段）
７：広告映像データ記憶部（第１の記憶手段）
８：視聴者端末（コンテンツ再生装置）
８ａ：視聴履歴情報記憶部
８ｂ：コンテンツ録画部（第１の受信手段）
８ｃ：広告抽出部
８ｄ：広告管理部
８ｅ：挿入広告取得部（広告挿入手段）
８ｆ：広告メタデータ記憶部（第１の記憶手段）
８ｇ：広告映像データ記憶部（第１の記憶手段）
８ｈ：コンテンツ再生部
８ｊ：配信要求部
９：ネットワーク
１０：コンテンツ配信装置
１１：コンテンツ事業者端末
１１ａ：コンテンツ記憶部
１１ｂ：コンテンツメタデータ記憶部
１１ｃ：コンテンツ編集部
１１ｄ：インサーションポイント生成部
１２：放送局
１３：配信事業者端末
１０２：コンテンツ管理サーバ
１０３：コンテンツ配信サーバ
【図１】
2010219875.tif 000003
【図２】
2010219875.tif 000004
【図３】
2010219875.tif 000005
【図４】
2010219875.tif 000006
【図５】
2010219875.tif 000007
【図６】
2010219875.tif 000008
【図７】
2010219875.tif 000009
【図８】
2010219875.tif 000010
【図９】
2010219875.tif 000011
【図１０】
2010219875.tif 000012
【図１１】
2010219875.tif 000013